(57)【要約】【課題】ねじ式レンズマウント構造において接点信頼性を向上し得る撮像装置のレンズマウント構造を提供する。【解決手段】マウント固定部材３０３はレンズ１０１を固定する固定位置とレンズ１０１を着脱可能にする着脱位置をとる。本体側接点部は、レンズ側接点部が離間した第１の位置とレンズ側接点部が接合した第２の位置との間を撮像装置本体２０１に対して揺動可能に取り付けられる。本体側接点部が第１の位置から第２の位置まで動作を完了するまでの間、マウント固定部材３０３と連動して動作する接点作動部材を備える。【選択図】図３Ａ
2015060050.tif 000002
【特許請求の範囲】
【請求項１】
撮像装置本体に対して着脱可能なレンズ、光軸周りに回動可能で、レンズマウントを前記撮像装置本体に引き込んで固定する可動マウント部材、前記撮像装置本体の側に配置された前記レンズを検出するための本体側接点部、前記レンズの側に配置された前記レンズを検出するためのレンズ側接点部を有する撮像装置において、
前記可動マウント部材は前記レンズを固定する固定位置と前記レンズを着脱可能にする着脱位置をとることができ、
前記本体側接点部は、該本体側接点部と前記レンズ側接点部が離間した第１の位置と前記本体側接点部と前記レンズ側接点部が接触した第２の位置との間を前記撮像装置本体に対して揺動可能に取り付けられており、
前記本体側接点部が前記第１の位置から前記第２の位置までの動作の間、前記可動マウント部材と連動して動作する接点作動部材を備え、
前記本体側接点部が前記第２の位置に達した後、前記可動マウント部材を更に回動することで、前記可動マウント部材が前記固定位置まで達し、前記レンズを前記撮像装置本体に対して固定することを特徴とする撮像装置のレンズマウント構造。
【請求項２】
前記接点作動部材に付勢力を発生させる第１の弾性部材と前記本体側接点部に付勢力を発生させる第２の弾性部材を有し、前記第１の弾性部材による付勢力は前記第２の弾性部材による付勢力に対して大きいことを特徴とする請求項１に記載の撮像装置のレンズマウント構造。
【請求項３】
前記第１の弾性部材により発生する付勢力と前記第２の弾性部材により発生する付勢力の和は、前記レンズを固定するために必要な荷重よりも小さいことを特徴とする請求項２に記載の撮像装置のレンズマウント構造。
【請求項４】
前記本体側接点部に配置された電気結線部材は、該本体側接点部の動作方向に平行になるような屈曲部を有して前記撮像装置本体と電気的に接続していることを特徴とする請求項１〜３のいずれか１項に記載の撮像装置のレンズマウント構造。
【発明の詳細な説明】
【技術分野】
【０００１】
本発明は、撮像装置（カメラ）のカメラ本体及びレンズ鏡筒に係り、特にそのレンズマウント構造に関する。
【背景技術】
【０００２】
状況に応じて、画角の広い／狭い、被写界深度の深い／浅い、マクロ等の撮影を行えるように、レンズを交換して撮影を行う撮像装置がある。この撮像装置本体に対してレンズの着脱が可能なレンズマウントの方式として、ねじ式レンズマウントとバヨネット式レンズマウントがある。
【０００３】
ねじ式レンズマウントは、撮像素子までの距離が調整された撮像装置側のマウント面に爪形状と、その一部に設けられた交換レンズ側のマウント面を接触させる。そして、この爪形状を撮像装置側の別部品でマウント面に押しつけることで、交換レンズを固定する方式である。
【０００４】
バヨネット式レンズマウントは、撮像素子までの距離が調整された爪形状を持つマウント面に、爪形状を先端に持つ交換レンズのマウント部のマウント面を接触させる。そして交換レンズを回転させることでお互いの爪形状を嵌合させたときに、撮像装置の爪形状が内蔵する、交換レンズの爪形状を撮像装置内部の撮像素子側に付勢するバネ部材により、交換レンズを撮像素子側に付勢し、交換レンズを保持する方式である。
これらの方式の撮像装置は、交換レンズ側に設けられた通信接点と撮像装置本体側に設けられた電気接点が接触することで交換レンズ側のフォーカスや防振機能を制御可能となっている。
【０００５】
レンズの着脱が可能な撮像装置においては、交換レンズ側に設けられた通信接点と撮像装置本体側に設けられた通信接点の接触信頼性が重要であり、例えば特許文献１に示したような提案がなされている。
【先行技術文献】
【特許文献】
【０００６】
【特許文献１】特開２０１１−１７５１９１号公報
【発明の概要】
【発明が解決しようとする課題】
【０００７】
しかしながら、特許文献１においては、レンズ鏡筒を回転する動作が必要になるため、レンズ鏡筒の回転を必要としないレンズの固定方式の場合、特許文献１記載の構造では接点の自浄作用を得ることができない。
【０００８】
本発明はかかる実情に鑑み、上記問題点を鑑み、ねじ式レンズマウント構造において接点信頼性を向上し得る撮像装置のレンズマウント構造を提供することを目的とする。
【課題を解決するための手段】
【０００９】
本発明の撮像装置のレンズマウント構造は、撮像装置本体に対して着脱可能なレンズ、光軸周りに回動可能で、レンズマウントを前記撮像装置本体に引き込んで固定するマウント固定部材、前記撮像装置本体側に配置された前記レンズを検出、制御するための本体側接点部、前記レンズ側に配置された前記レンズを検出、制御するためのレンズ側接点部を有する撮像装置において、前記マウント固定部材は前記レンズを固定する固定位置と前記レンズを着脱可能にする着脱位置をとることができ、前記本体側接点部は、該本体側接点部と前記レンズ側接点部が離間した第１の位置と前記本体側接点部と前記レンズ側接点部が接触した第２の位置との間を前記撮像装置本体に対して揺動可能に取り付けられており、前記本体側接点部が前記第１の位置から前記第２の位置まで動作を完了するまでの間、前記マウント固定部材と連動して動作する接点作動部材を備え、前記本体側接点部が前記第２の位置に到達した後、前記マウント固定部材を更に回動することで、前記マウント固定部材が前記固定位置まで到達し、前記レンズを前記撮像装置本体に対して固定することを特徴とする。
【００１０】
また、本発明の撮像装置のレンズマウント構造において、前記接点作動部材に付勢力を発生させる第１の弾性部材と前記本体側接点部に付勢力を発生させる第２の弾性部材を有し、前記第１の弾性部材による付勢力は前記第２の弾性部材による付勢力に対して大きいことを特徴とする。
【００１１】
また、本発明の撮像装置のレンズマウント構造において、前記第１の弾性部材により発生する付勢力と前記第２の弾性部材により発生する付勢力の和は、前記レンズを固定するために必要な荷重よりも小さいことを特徴とする。
【００１２】
また、本発明の撮像装置のレンズマウント構造において、前記本体側接点部に配置された電気結線部材は、該本体側接点部の動作方向に平行になるような屈曲部を有して前記撮像装置本体と電気的に接合していることを特徴とする。
【発明の効果】
【００１３】
本発明によれば、かかる構成することで、ねじ式レンズマウント構造を備えながら、レンズ側の通信接点と撮像装置本体側の電気接点との接点信頼性を確保可能なレンズマウント構造を構成することが可能となる。
【図面の簡単な説明】
【００１４】
【図１Ａ】本発明の実施形態における交換レンズ単体の外観を斜め後方から示す斜視図である。
【図１Ｂ】本発明の実施形態における交換レンズのバヨネット爪を裏面から見た断面斜視図である。
【図２】本発明の実施形態における交換レンズを装着して使用できるカメラ本体の形状を示す斜視図である。
【図３Ａ】本発明の実施形態におけるカメラ本体の実施形態の一部を分解して示した分解斜視図である。
【図３Ｂ】本発明の実施形態におけるカメラ本体の実施形態の一部の組立状態を示した斜視図である。
【図３Ｃ】本発明の実施形態における可動接点作動部材周辺を拡大して表示した拡大図である。
【図３Ｄ】本発明の実施形態におけるカメラ本体の実施形態の一部の組立状態を反対側から見た背面拡大図である。
【図３Ｅ】本発明の実施形態における可動マウント部材の突出部と可動接点作動部材の当接面の接触の様子を示す部分断面図である。
【図３Ｆ】固定部材の溝部と可動接点作動部材の嵌合部の嵌合の様子を示す部分断面図である。
【図４Ａ】本発明の実施形態における固定部材の斜視図である。
【図４Ｂ】本発明の実施形態における固定部材の他の方向から見た斜視図である。
【図５Ａ】本発明の実施形態における固定マウント部材の斜視図である。
【図５Ｂ】本発明の実施形態における固定マウント部材の他方から見た斜視図である。
【図６Ａ】本発明の実施形態における可動マウント部材の斜視図である。
【図６Ｂ】本発明の実施形態における可動マウント部材の他方から見た斜視図である。
【図７Ａ】本発明の実施形態におけるロックノブ保持部材の斜視図である。
【図７Ｂ】本発明の実施形態におけるロックノブ保持部材を他方から見た斜視図である。
【図８Ａ】本発明の実施形態における可動接点作動部材の斜視図である。
【図８Ｂ】本発明の実施形態における可動接点作動部材を他方から見た斜視図である。
【図９Ａ】本発明の実施形態における可動接点の斜視図である。
【図９Ｂ】本発明の実施形態における可動接点を他方から見た斜視図である。
【図１０】本発明の実施形態における第２の弾性部材の斜視図である。
【図１１Ａ】本発明の実施形態に係るレンズマウントの要素の動作を順次示す正面図である。
【図１１Ｂ】本発明の実施形態に係るレンズマウントの要素の動作を順次示す正面図である。
【図１１Ｃ】本発明の実施形態に係るレンズマウントの要素の動作を順次示す正面図である。
【図１１Ｄ】本発明の実施形態に係るレンズマウントの要素の動作を順次示す正面図である。
【図１２】（Ａ）、（Ｂ）及び（Ｃ）は、図１１ＡのＩ-Ｉ線に沿う断面図、図１１ＢのII-II線に沿う断面図、図１１ＤのIII-III線に沿う断面図である。
【図１３】（Ａ）、（Ｂ）及び（Ｃ）は、図１１ＡのＣ部、図１１ＢのＤ部、図１１ＤのＥ部のそれぞれ詳細図である。
【図１４Ａ】図１１Ａの動作タイミングにおける交換レンズ固定時に動作する主な部品のみを示した図である。
【図１４Ｂ】図１１Ｂの動作タイミングにおける交換レンズ固定時に動作する主な部品のみを示した図である。
【図１４Ｃ】図１１Ｃの動作タイミングにおける交換レンズ固定時に動作する主な部品のみを示した図である。
【図１４Ｄ】図１１Ｄの動作タイミングにおける交換レンズ固定時に動作する主な部品のみを示した図である。
【発明を実施するための形態】
【００１５】
以下、図面を参照して本発明による撮像装置のレンズマウント構造の好適な実施形態を説明する。
図１Ａは、交換レンズ１０１単体の外観を斜め後方から示す斜視図である。図１Ｂは、交換レンズ１０１のバヨネット爪１０７ａ〜１０７ｃを裏面から見た断面斜視図である。交換レンズ１０１は全体として長手方向に向かって径が変化する円柱上の鏡筒とこの鏡筒に収容された光学系を有する。図１では光学系の光軸を一点鎖線Ｘにより示す。交換レンズ１０１は固定筒１０２、フォーカスリング１０３及びスライドスイッチ１０４を周面に有する。固定筒１０２は内部に光学系を配置可能に構成されており、交換レンズ１０１の外郭となっているため、回転することはない。
【００１６】
フォーカスリング１０３は交換レンズ１０１の光軸周りに回転させることができる。フォーカスリング１０３を回転させた場合、交換レンズ１０１の焦点位置が変化する。固定筒１０２に配置されたスライドスイッチ１０４は、交換レンズ１０１の防振機能の切り替えやフォーカス機能の切り替え等に使用される。図１に示した交換レンズ１０１ではスライドスイッチ１０４は１つのみ配置されているが、複数個のスライドスイッチ１０４が配置され、それぞれ異なる機能が割り当てられていてもよい。
【００１７】
交換レンズ１０１の周面の後端付近には、差し込み指標１０５が配される。差し込み指標１０５は、交換レンズ１０１をカメラ本体２０１に装着する場合に、カメラボディ側の対応する指標と位置合わせする目的で配される。交換レンズ１０１の後方側端面にはマウント面１０６、バヨネット爪１０７ａ〜１０７ｃ及び通信接点１０８（レンズ側接点部）が配置される。通信接点１０８は、交換レンズ１０１のマウント面１０６からカメラ本体２０１側に突出した円弧状の接点保持部材１０９に複数配置される。マウント面１０６は、交換レンズ１０１の光学系の光軸Ｘと直交する平坦な環状面をなす。マウント面１０６を、後述するカメラ本体２０１のマウント面３０１と密接させることにより、交換レンズ１０１の光学系が、カメラ本体２０１に対して正確に位置決めされる。マウント面１０６には位置決め穴１１０も配置されているが、位置決め穴１１０に関しては後述する。
【００１８】
バヨネット爪１０７ａ〜ｃは、交換レンズ１０１が最も小径になった略後端に複数配置される。バヨネット爪１０７ａ〜１０７ｃのそれぞれは円弧状の形状を成し、固定筒１０２に対して固定される。交換レンズ１０１のバヨネット爪１０７ａ〜１０７ｃの裏側にはバヨネット爪接触面１１１ａ〜１１１ｃが設けられている。バヨネット爪接触面１１１ａ〜１１１ｃは後述する交換レンズ１０１の固定時にカメラ本体２０１の可動マウント部材３０３と接触するための接触面として配設されている。
【００１９】
カメラ本体の構成について説明する。図２は図１に示した交換レンズを装着して使用できるカメラ本体の形状を示す斜視図である。図３Ａは本発明を実施したカメラ本体の実施形態の一部を分解して示した分解斜視図、図３Ｂは図３Ａに示した部品を組立し、固定マウント部材３０２、可動外装部材２０６を不図示したカメラ本体の実施形態の一部の組立状態を示した斜視図である。図３Ｃは図３Ｂの可動接点作動部材２１１周辺を拡大して表示した拡大図である。図３Ｃにおいては、図３Ｂの可動マウント部材３０３、ロックノブ２０５、ビスを表示していない。図３Ｄは、図３Ｂに表示した側と反対側から見た背面拡大図である。図３Ｅは可動マウント部材３０３の突出部６０５と可動接点作動部材２１１の当接面８０１の接触の様子を示す部分断面図である。図３Ｆは固定部材３０４の溝部４０３と可動接点作動部材２１１の嵌合部８０２の嵌合の様子を示す部分断面図である。
【００２０】
図４Ａは固定部材の斜視図、図４Ｂは固定部材の他方から見た斜視図である。図５Ａは固定マウント部材の斜視図、図５Ｂは固定マウント部材の他方から見た斜視図である。図６Ａは可動マウント部材の斜視図、図６Ｂは可動マウント部材の他方から見た斜視図である。図７Ａはロックノブ保持部材の斜視図、図７Ｂはロックノブ保持部材を他方から見た斜視図である。図８Ａは可動接点作動部材の斜視図、図８Ｂは可動接点作動部材を他方から見た斜視図である。図９Ａは可動接点の斜視図、図９Ｂは可動接点を他方から見た斜視図である。図１０は第２の弾性部材の斜視図である。
【００２１】
カメラ本体２０１は図２に示すように、レバースイッチ２０２、ダイヤルスイッチ２０３、押しボタン２０４、ロックノブ２０５及び可動外装部材２０６を備える。また、カメラ本体２０１の前面には、マウント部２０７が配置される。マウント部２０７は主たる構成部品として、マウント面３０１が配置された固定マウント部材３０２、ロックノブ２０５を操作することで回動する可動マウント部材３０３により構成されている。可動マウント部材３０３の動作に関しては後述するが、交換レンズ１０１を固定する固定位置と交換レンズ１０１を着脱可能にする着脱位置をとることができる。マウント面３０１は、装着された交換レンズ１０１、エクステンダー等のカメラアクセサリ等の一部に密接する。マウント爪部６０２ａ〜６０２ｃは図６に示すように、それぞれ円弧状の形状を有して、マウント面３０１の径方向内側に向かって可動マウント部材３０３から突出する。
【００２２】
マウント部２０７近傍のカメラ本体２０１表面に、差し込み指標２０８が配される。差し込み指標２０８は、交換レンズ１０１をカメラ本体２０１に装着する場合に、交換レンズ１０１側の差し込み指標１０５と合わせるために設けられている。また、マウント面３０１からは、装着された交換レンズ１０１の装着位相を決定するロックピン２０９が突出している。ロックピン２０９は、マウント面３０１から突出する方向に配置されており、交換レンズ１０１側に配置された位置決め穴１１０に対して係合するように配置されている。
【００２３】
マウント部２０７の開口部５０１の内側には、交換レンズ１０１を検出するための本体側接点部、即ちカメラ本体２０１の内部に配された可動接点２１０、可動接点作動部材２１１、ローパスフィルター２１２等が配置される。この本体側接点部は、前述のレンズ側接点部が離間した第１の位置とレンズ側接点部が接触した第２の位置との間を揺動可能に取り付けられている。可動接点２１０は図９に示すように、樹脂等の絶縁材料により一体化された、電気的に独立する複数の電気接点２１３及びカメラ本体２０１内部に配置された基板に接続するＦＰＣ等で構成された電気結線部材を含む。可動接点２１０は、マウント面３０１から後方に離間して配置されている。
【００２４】
マウント部２０７を構成する部品群に関して、図を用いて詳細を説明する。カメラ本体２０１内には図３Ａ、図４Ａ及び図４Ｂに示すように、マウント部２０７を構成する構成部材が取り付けられる固定部材３０４が内蔵されている。固定部材３０４には固定マウント部材３０２を固定するための締結部４０１ａ〜４０１ｄが設けられている。
【００２５】
固定マウント部材３０２の内側は図５に示すように円形の開口部５０１を有し、交換レンズ１０１のバヨネット爪１０７ａ〜１０７ｃが挿通するような外径となっている。固定マウント部材３０２の裏面内側には雌ねじ部５０２が光軸を中心に配設されている。固定部材３０４と固定マウント部材３０２の固定にはビス（不図示）が用いられる。固定マウント部材３０２に複数個設けられた挿通穴５０３ａ〜５０３ｄを挿通したビス（不図示）は、締結部４０１ａ〜４０１ｄに締結され、固定マウント部材３０２を固定部材３０４に固定する。
【００２６】
可動マウント部材３０３は、図６に示すように円環状の外形をしており、その外周部には雄ねじ部６０１が形成されている。可動マウント部材３０３の雄ねじ部６０１は、固定マウント部材３０２の雌ねじ部５０２に回動可能に螺合する。可動マウント部材３０３の内周部には所定の間隔で設けられたマウント爪部６０２ａ〜６０２ｃが設けられており、交換レンズ１０１のバヨネット爪１０７ａ〜１０７ｃと係合するようになっている。また、マウント爪部６０２ａ〜６０２ｃにはそれぞれバヨネット爪１０７ａ〜１０７ｃに設けられたバヨネット爪接触面１１１ａ〜１１１ｃと当接するマウント爪接触面６０３ａ〜６０３ｃが設けられている。
【００２７】
可動マウント部材３０３の平面部上には、ロックノブ保持部材３０５が取り付けられるためのタップがきられた締結部６０４ａ，６０４ｂが設けられている。ロックノブ保持部材３０５は可動マウント部材３０３に固定され、ロックノブ２０５を締結することで可動マウント部材３０３を操作者が手動で回動させるための部材である。図７に示すようにロックノブ保持部材３０５に配置された挿通穴７０１ａ，７０１ｂを挿通したビスが、可動マウント部材３０３に配置された締結部６０４ａ，６０４ｂと嵌合することで、可動マウント部材３０３に対して固定される。
【００２８】
ロックノブ保持部材３０５は、固定部材３０４と固定マウント部材３０２に挟まれた領域に可動マウント部材３０３から外周方向に突設される。ロックノブ保持部材３０５の側面には、第１の当接面７０２及び第２の当接面７０３が設けられている。第１の当接面７０２及び第２の当接面７０３はそれぞれ、固定マウント部材３０２側に設けられた第１の当接面５０４及び第２の当接面５０５と当接することで、可動マウント部材３０３の動作を停止させる。ロックノブ保持部材３０５の裏面には、突出部７０４が設けられており、突出部７０４の当接面７０５には第１の弾性部材３０６が当接する。
【００２９】
第１の弾性部材３０６は図３Ｃに示すように、一端がロックノブ保持部材３０５の当接面７０５に当接し、他端が可動接点作動部材２１１に当接するように配置されている。本実施形態では、第１の弾性部材３０６は圧縮コイルバネを使用している。第１の弾性部材３０６はプリチャージを持つようにロックノブ保持部材３０５と可動接点作動部材２１１の間に配置される。可動接点作動部材２１１は図３Ｃに示すように固定部材３０４に設けられた可動接点作動部材配置部４０２に配置され、第１の弾性部材３０６のプリチャージによる荷重を受けて、可動マウント部材３０３に付勢される。付勢された可動接点作動部材２１１は図８Ａに示す当接面８０１で可動マウント部材３０３の突出部６０５に設けられた当接面６０６と接触する（図３Ｅ）。可動接点作動部材２１１は図３Ｆに示すように固定部材３０４に設けられた溝部４０３と、可動接点作動部材２１１の裏面に設けられた嵌合部８０２が摺動可能に嵌合するように配置される。このように構成することで、可動接点作動部材２１１の動作が、可動マウント部材３０３の動作に追従する。
【００３０】
また、可動接点作動部材２１１には、当接面８０３が設けられており、後述する可動接点２１０を動作させる際に、可動接点２１０と接触する。可動接点２１０は図９Ａ及び図９Ｂに示す円弧状挿通部９０１ａ，９０１ｂを挿通するビスによって固定部材３０４に揺動可能に固定されている。可動接点２１０の側面には、当接面９０４が配置されており、可動接点作動部材２１１の当接面８０３と接触するように設けられている。可動接点２１０は、ビスによって固定されることで円弧状挿通部９０１ａ，９０１ｂの円弧形状に沿うように動作可能に配置されている。可動接点２１０には電気接点２１３が配置され、交換レンズ１０１の通信接点１０８と接触するように、光軸と平行に移動可能に配置され、電気接点２１３は図示しないバネにより光軸方向に付勢されている。電気接点２１３の配置位相は交換レンズ１０１の通信接点１０８と同一位相になるように配置されている。
【００３１】
可動接点２１０には電気結線部材９０２がカメラ本体２０１内部の基板（不図示）に接続されるように配置されており、電気接点２１３の所定の電気信号をカメラ本体２０１に通信している。電気結線部材９０２は、例えばＦＰＣで構成されており、可動接点２１０の動作方向に沿うように円弧状屈曲部９０３を有するようにカメラ本体２０１内を引き回されている。このように構成することで、可動接点２１０が揺動しても電気結線部材９０２に過剰な負荷が加わらないように構成されている。
【００３２】
固定部材３０４裏面には、図１０に示す第２の弾性部材３０７が配置されている。本実施形態では第２の弾性部材３０７はＳＵＳ材等の金属材料で形成された板バネとして構成されている。第２の弾性部材３０７は挿通穴１００１を挿通するビスによって固定部材３０４に固定されている。第２の弾性部材３０７は可撓部１００２を有し、図３Ｄに示すように可撓部１００２が常に可動接点２１０側面に当接している。交換レンズ１０１が装着されていない状態では、可橈部１００２は常に可動接点２１０を矢印Ｂの方向に押圧するように配置されている。
【００３３】
上述のように構成されたカメラ本体２０１に対して、交換レンズ１０１を固定する方法を述べる。図１１Ａ〜図１１Ｄは、本発明の実施形態に係る交換レンズ１０１をカメラ本体２０１に締結するときの、可動マウント部材３０３、交換レンズ１０１を保持する動作を順次示した正面図である。
図１１Ａは、交換レンズ１０１のバヨネット爪１０７ａ〜ｃと、可動マウント部材３０３のマウント爪部６０２ａ〜６０２ｃが、光軸投影上に重ならない交換レンズ１０１の着脱可能位置を示す（着脱位置）。
図１１Ｂは、可動マウント部材３０３を固定マウント部材３０２に対して、光軸Ｘを中心にしてカメラ本体２０１の正面から見て反時計回りに回動させることでの状態を示す図である。具体的には、バヨネット爪１０７ａ〜１０７ｃとマウント爪部６０２が重なり、可動接点作動部材２１１が可動マウント部材３０３と接触した状態を示す。
図１１Ｃは、図１１Ｂの状態に対して、更に光軸Ｘを中心にしてカメラ本体２０１の正面から見て反時計回りに回動させ、可動接点２１０を交換レンズ１０１の通信接点１０８と接触する位置まで動作させた状態を示す。
図１１Ｄは、図１１Ｃの状態に対して、更に光軸Ｘを中心にしてカメラ本体２０１の正面からみて反時計回りに回動させ、交換レンズ１０１をカメラ本体２０１に対して固定した状態を示す。
【００３４】
図１２（Ａ）、（Ｂ）及び（Ｃ）は、図１１ＡのＩ-Ｉ線に沿う断面図、図１１ＢのII-II線に沿う断面図、図１１ＤのIII-III線に沿う断面図を示す。図１３（Ａ）、（Ｂ）及び（Ｃ）は、図１１ＡのＣ部、図１１ＢのＤ部、図１１ＤのＥ部のそれぞれ詳細図を示す。図１４は、図１１（ａ）〜（ｄ）のそれぞれの動作タイミングにおける交換レンズ固定時に動作する主な部品のみを示した図である。これらの部品は具体的には可動マウント部材３０３、ロックノブ保持部材３０５、第１の弾性部材３０６、可動接点作動部材２１１、可動接点２１０及び第２の弾性部材３０７を示している。なお、図１２のように交換レンズ１０１のマウント面１０６からバヨネット爪接触面１１１ａまでの距離を距離Ｌ1とする。また、固定マウント部材３０２のマウント面３０１と可動マウント部材３０３のマウント爪接触面６０３ａの距離を、距離Ｌ2とする。
【００３５】
交換レンズ１０１をカメラ本体２０１に対して固定する場合、図１１Ａの状態のカメラ本体２０１に対して、交換レンズ１０１の後端部をカメラ本体２０１の開口部５０１に落とし込む。その際、交換レンズ１０１のマウント面１０６とカメラ本体２０１のマウント面３０１が突き当たるように落とし込む。また、光軸Ｘ周りの位相に関しては、交換レンズ１０１に配設された位置決め穴１１１とカメラ本体２０１から突設されたロックピン２０９が嵌合するように交換レンズ１０１の回転位相を合わせる（図１１Ａ、図１２（Ａ）、図１３（Ａ）参照）。
【００３６】
次に、ロックノブ２０５を光軸Ｘを中心にして、カメラ本体２０１の正面から見て反時計回りに回動させることで、固定マウント部材３０２に対して可動マウント部材３０３を回動させる。可動マウント部材３０３は固定マウント部材３０２と雄ねじ部６０１、雌ねじ部５０２で螺合しているため、光軸Ｘと平行に移動する。つまり、距離Ｌ1と距離Ｌ2が詰まる方向に可動マウント部材３０３が移動する（図１１Ｂ、図１２（Ｂ）、図１３（Ｂ）参照）。可動マウント部材３０３の回動を継続すると、光軸Ｘと平行に移動し、交換レンズ１０１のバヨネット爪接触面１１１と可動マウント部材３０３のマウント爪接触面６０３が当接する。つまり、距離Ｌ1と距離Ｌ2が同一距離になる（図１１Ｄ、図１２（Ｃ）、図１３（Ｃ）参照）。このように可動マウント部材３０３を回動させることで、交換レンズ１０１をカメラ本体２０１に対して固定可能となる。
【００３７】
次に、交換レンズ１０１をカメラ本体２０１に対して固定する際の可動接点２１０の動作について説明する。先ず、ロックノブ２０５を光軸Ｘを中心にして、カメラ本体２０１の正面から見て反時計回りに回動させることで、固定マウント部材３０２に対して可動マウント部材３０３を回動させる。このとき可動接点作動部材２１１は、第１の弾性部材３０６によって発生する押圧トルクＴ1（付勢力）によって可動マウント部材３０３に設けられた突出部６０５に付勢されているため、可動マウント部材３０３の回動に連動して動作する。可動接点作動部材２１１の動作は、固定部材３０４の溝部４０３に沿って動作する。
【００３８】
続いて、可動マウント部材３０３を反時計回りに継続して回動すると、可動接点作動部材２１１が可動接点２１０に接触する（図１４Ｂ）。その状態から更に可動マウント部材３０３を回動させると、可動接点作動部材２１１が可動接点２１０を押圧する。可動接点２１０は、第２の弾性部材３０７により可動接点２１０を押圧する押圧トルクＴ2によって、第１の弾性部材３０６により可動接点作動部材２１１を押圧する押圧トルクＴ１に抗する方向に付勢されている。この場合、第１の弾性部材３０６による押圧トルクＴ1と第２の弾性部材３０７による押圧トルクＴ2は、Ｔ1＞Ｔ2という関係になるように第１の弾性部材３０６の荷重と第２の弾性部材３０７の荷重が設定されている。従って、可動接点作動部材２１１が可動接点２１０に接触した状態から、更に可動マウント部材３０３を回動させると、可動接点作動部材２１１が可動接点２１０を矢印Ａ方向に移動させながら、可動マウント部材３０３が回動する。可動接点２１０は固定部材３０４に当接し、移動を停止する。それと同時に、可動接点２１０の電気接点２１３が所定の交換レンズ１０１の通信接点１０８と所定の位置で接触する。（図１４Ｃ）。
【００３９】
このように可動接点２１０を動作させることで、固定時に回転しない交換レンズ１０１に対して相対的に可動接点２１０が動作するため、交換レンズ１０１の通信接点１０８とカメラ本体２１０の電気接点２１３が摺動する。この交換レンズ１０１の通信接点１０８とカメラ本体２１０の電気接点２１３との摺動によって、通信接点１０８の表面が擦れ、通信信頼性を確保することができるようになる。
【００４０】
可動マウント部材３０３を可動接点２１０の停止状態から交換レンズ１０１の固定位置まで回動させると、可動接点作動部材２１１の当接面８０１と可動マウント部材３０３の当接面６０６が離間しながら、可動マウント部材３０３が回動する。このとき可動接点作動部材２１１は可動接点２１０に突き当たり、動作することができない。そのため第１の弾性部材３０５は可動マウント部材３０３の動作に連動して移動するロックノブ保持部材３０５に押し縮められる。
【００４１】
このとき押し縮められた第１の弾性部材３０６により発生する押圧トルクＴ1′と第２の弾性部材３０７により発生している押圧トルクＴ2は、交換レンズ１０１の固定を妨げる方向に作用する。しかし、交換レンズ１０１を固定するために必要なトルクあるいは荷重Ｔ3は、押圧トルクＴ1′及び押圧トルクＴ2に対して、Ｔ3≫Ｔ1′＋Ｔ2という関係にある。このため、交換レンズ１０１の固定に対する影響は小さい。従って、交換レンズ１０１を十分なトルクで固定可能である。
【００４２】
交換レンズ１０１を取り外す方法については、上述の可動マウント部材３０３の動作順序を逆に動作させることで可能となる。
以上、説明したように構成することで、ねじ式レンズマウント構造を備えながら、レンズ側の通信接点と撮像装置本体側の電気接点との接点信頼性を確保可能なレンズマウント構造を構成することが可能となる。
【００４３】
以上、本発明の好ましい実施形態について説明したが、本発明はこれらの実施形態に限定されず、その要旨の範囲内で種々の変形及び変更が可能である。
【符号の説明】
【００４４】
１０１  交換レンズ、１０５  差し込み指標、１０６  マウント面、１０７ａ〜１０７ｃ  バヨネット爪、１０８  通信接点、１０９  接点保持部材、１１１  バヨネット爪接触面、２０１  カメラ本体、２０５  ロックノブ、２０７  マウント部、２１０  可動接点、２１１  可動接点作動部材、２１３  電気接点、３０１  マウント面、３０２  固定マウント部材、３０３  可動マウント部材、３０４  固定部材、３０５  ロックノブ保持部材、３０６  第１の弾性部材、３０７  第２の弾性部材、４０２  可動接点作動部材配置部、５０２  雌ねじ部、６０１  雄ねじ部、６０２ａ〜６０２ｃ  マウント爪部、６０３ａ〜６０３ｃ  マウント爪接触面、６０５  突出部、６０６  当接面、７０４  突出部、７０５  当接面、８０１  当接面、８０３  当接面、９０１  円弧状挿通部、９０２  電気結線部材、９０３  円弧状屈曲部、９０４  当接面、１００２  可撓部。
【図１Ａ】
2015060050.tif 000003
【図１Ｂ】
2015060050.tif 000004
【図２】
2015060050.tif 000005
【図３Ａ】
2015060050.tif 000006
【図３Ｂ】
2015060050.tif 000007
【図３Ｃ】
2015060050.tif 000008
【図３Ｄ】
2015060050.tif 000009
【図３Ｅ】
2015060050.tif 000010
【図３Ｆ】
2015060050.tif 000011
【図４Ａ】
2015060050.tif 000012
【図４Ｂ】
2015060050.tif 000013
【図５Ａ】
2015060050.tif 000014
【図５Ｂ】
2015060050.tif 000015
【図６Ａ】
2015060050.tif 000016
【図６Ｂ】
2015060050.tif 000017
【図７Ａ】
2015060050.tif 000018
【図７Ｂ】
2015060050.tif 000019
【図８Ａ】
2015060050.tif 000020
【図８Ｂ】
2015060050.tif 000021
【図９Ａ】
2015060050.tif 000022
【図９Ｂ】
2015060050.tif 000023
【図１０】
2015060050.tif 000024
【図１１Ａ】
2015060050.tif 000025
【図１１Ｂ】
2015060050.tif 000026
【図１１Ｃ】
2015060050.tif 000027
【図１１Ｄ】
2015060050.tif 000028
【図１２】
2015060050.tif 000029
【図１３】
2015060050.tif 000030
【図１４Ａ】
2015060050.tif 000031
【図１４Ｂ】
2015060050.tif 000032
【図１４Ｃ】
2015060050.tif 000033
【図１４Ｄ】
2015060050.tif 000034